(57)【要約】【課題】パネルを斜めの姿勢で正しい位置に取付けできると共に、建物躯体の層間変位にパネルが追従できる建物の外装とする。【解決手段】建物躯体１にパネル２をパネル取付治具３で第１取付部２−１、第２取付部２−２、第３取付部２−３の３点で取付けた建物の外装で、この各取付部は仮想三角形の頂点に位置していると共に、第１取付部２−１は最上部に位置してパネル面直交方向及びパネル面平行全方向に動かないように支持し、第２取付部２−２は中間部に位置してパネル面平行重力方向の回転を止めるように支持し、第３取付部２−３は最下部に位置してパネル面平行全方向に移動自在に支持している。【選択図】      図１
2004244939.tif 000002
【特許請求の範囲】
【請求項１】
建物躯体に複数のパネルをパネル取付治具で取付けた建物の外装であって、
前記パネルは、仮想三角形の各頂点に位置する少なくとも第１・第２・第３取付部の３点で取付けてあり、
その第１取付部はパネル面直交方向及びパネル面平行全方向に動かないようにパネルを支持し、第２取付部はパネル面直交方向及びパネル面平行方向の重力方向に動かないようにパネルを支持し、第３取付部はパネル面直交方向に動かないと共に、パネル面平行全方向に移動可能に支持することを特徴とする建物の外装。
【請求項２】
３つの取付部の高さがそれぞれ異なる場合に、最上部の取付部を第１取付部、中間部の取付部を第２取付部、最下部の取付部を第３取付部とする請求項１記載の建物の外装。
【請求項３】
本体と、この本体に設けた支持部材と、一端部がパネルに固着され、且つ他端部が前記支持部材に支持される少なくとも３つのパネル取付部材を備え、
前記支持部材は、本体の周囲に間隔を置いて位置する少なくとも３つの支持部を有し、その１つの支持部に前記パネル取付部材の他端部をパネル面直交方向及びパネル面平行全方向に動かないように固定し、他の１つの支持部に前記パネル取付部材の他端部をパネル面直交方向に固定し、かつパネル面平行方向の重力方向に動かないように支持し、残りの支持部に前記パネル取付部材の他端部をパネル面直交方向に固定し、かつパネル面平行全方向に移動自在に支持することを特徴とするパネル取付治具。
【請求項４】
支持部材の各支持部は、本体中心を中心とする仮想円軌跡上に等間隔で位置し、かつコマ取付用穴を有し、このコマ取付用穴に着脱自在に設けられ、１つの支持部に取付けられる第１コマと他の１つの支持部に取付けられる第２コマを備え、
前記第１コマはパネル取付部材の他端部が嵌合する支承孔を有し、第２コマはパネル取付部材の他端部が重力方向において接する孔を有する請求項３記載のパネル取付治具。
【請求項５】
第１コマ、第２コマは、コマ取付用穴に対し、仮想円軌跡の周方向に沿って移動可能に設けてある請求項４記載のパネル取付治具。
【請求項６】
支持部材の支持部は、本体中心を中心とする仮想円軌跡上に等間隔で６コ有する請求項３，４，５いずれか一項記載のパネル取付治具。
【発明の詳細な説明】
【０００１】
【発明の属する技術分野】
本発明は、建物の屋根、建物の外壁等の建物の外装、詳しくは、ガラス板などの複数のパネルで構成した建物の外装及びパネルを建物躯体に取付けるパネル取付治具に関する。
【０００２】
【従来の技術】
特許文献１に複数のパネルで構成した建物の外装が開示されている。
この建物の外装は、建物躯体にパネル取付治具を取付け、このパネル取付治具で上下・左右に隣接した４枚のパネルのコーナー部を支持することで、複数のパネルを建物躯体に取付けたものである。
かかる建物の外装においては、地震時などに建物躯体の層間変位にパネルが追従できるようにしている。
例えば、特許文献２に開示されたように、矩形状のパネルの上下左右の４点を面外方向に移動しないように取付け、上下いずれか一方の左右一対の取付部は面内方向左右に移動可能で、下方には動かないようにパネルを支持し、残りの左右一対の取付部は面内方向の左右・上下に移動可能にパネルを支持することで、建物躯体の層間変位にパネルが追従できるようにしている。
【０００３】
【特許文献１】
特開平１０−２６６４４１号公報
【特許文献２】
特許第２８５８４２２号公報
【０００４】
【発明が解決しようとする課題】
前述のようにパネルを建物躯体に取付けると、上の左右一対の取付部、下の左右一対の取付部がそれぞれ上下方向に同一位置（つまり、同一高さ）であればパネルを所定の位置に取付けできる。
しかし、上の左右一対の取付部の高さが異なったり、下の左右一対の取付部の高さが異なる場合にはパネルが自重で斜め下方に動いてしまうから所定の位置に取付けできない。
例えば、矩形状のパネルを水平の姿勢に取付ける場合は問題がないが、そのパネルを斜めの姿勢に取付ける場合には前述のようにパネルが斜め下方に動いて所定の位置からずれてしまう。
【０００５】
本発明は前述の課題を鑑みなされたものであって、その目的は、建物躯体の層間変位にパネルが追従できること、パネルを任意の姿勢で所定の位置に正しく取付けできることを満足した建物の外装及びそのパネル取付治具を提供することである。
【０００６】
【課題を解決するための手段】
第１の発明は、建物躯体に複数のパネルをパネル取付治具で取付けた建物の外装であって、
前記パネルは、仮想三角形の各頂点に位置する少なくとも第１・第２・第３取付部の３点で取付けてあり、
その第１取付部はパネル面直交方向及びパネル面平行全方向に動かないようにパネルを支持し、第２取付部はパネル面直交方向及びパネル面平行方向の重力方向に動かないようにパネルを支持し、第３取付部はパネル面直交方向に動かないと共に、パネル面平行全方向に移動可能に支持することを特徴とする建物の外装である。
【０００７】
第２の発明は、第１の発明において３つの取付部の高さがそれぞれ異なる場合に、最上部の取付部を第１取付部、中間部の取付部を第２取付部、最下部の取付部を第３取付部とする建物の外装である。
【０００８】
第３の発明は、本体と、この本体に設けた支持部材と、一端部がパネルに固着され、且つ他端部が前記支持部材に支持される少なくとも３つのパネル取付部材を備え、
前記支持部材は、本体の周囲に間隔を置いて位置する少なくとも３つの支持部を有し、その１つの支持部に前記パネル取付部材の他端部をパネル面直交方向及びパネル面平行全方向に動かないように固定し、他の１つの支持部に前記パネル取付部材の他端部をパネル面直交方向に固定し、かつパネル面平行方向の重力方向に動かないように支持し、残りの支持部に前記パネル取付部材の他端部をパネル面直交方向に固定し、かつパネル面平行全方向に移動自在に支持することを特徴とするパネル取付治具である。
【０００９】
第４の発明は、第３の発明において支持部材の各支持部は、本体中心を中心とする仮想円軌跡上に等間隔で位置し、かつコマ取付用穴を有し、このコマ取付用穴に着脱自在に設けられ、１つの支持部に取付けられる第１コマと他の１つの支持部に取付けられる第２コマを備え、
前記第１コマはパネル取付部材の他端部が嵌合する支承孔を有し、第２コマはパネル取付部材の他端部が重力方向において接する孔を有するパネル取付治具である。
【００１０】
第５の発明は、第４の発明において第１コマ、第２コマはコマ取付用穴に対し、仮想円軌跡の周方向に沿って移動可能に設けてあるパネル取付治具である。
【００１１】
第６の発明は、第３・第４・第５いずれか１つの発明において支持部材の支持部は、本体中心を中心とする仮想円軌跡上に等間隔で６コ有するパネル取付治具である。
【００１２】
【作  用】
第１の発明によれば、建物躯体とパネルは第３取付部でパネル面平行全方向に相対的に移動できるから、地震時等に建物躯体の層間変位にパネルが追従できる。
また、パネルに作用するパネル面平行重力方向の回転力は第２取付部で支持され、パネルを斜めの姿勢で取付けても回転変位することがなく、任意の姿勢で所定の位置に正しく取付けできる。
また、パネルに作用するパネル面直交方向の荷重は第１・第２・第３取付部で支持されるから、強風雨などでパネルがパネル面直交方向に動くことがない。
【００１３】
第２の発明によれば、最上部の取付部でパネル面平行全方向に動かないように支持し、中間部の取付部でパネル面平行重力方向の回転力を支持し、最下部の取付部で建物躯体とパネルが相対変位する。
よって、パネルのパネル面平行重力方向の回転を確実に止めることができると共に、建物躯体の層間変位にパネルがスムーズ追従することができる。
【００１４】
第３の発明によれば、１つのパネル取付治具で少なくとも３つのパネルのコーナー部を、パネル面直交方向及びパネル面平行全方向に固定して支持、パネル面直交方向に固定しかつパネル面平行重力方向に動かないように支持し、パネル面直交方向に固定し、かつパネル面平行全方向に移動自在に支持する。
よって、少なくとも３つのパネルのコーナー部を支持することができるから、このパネル取付治具を複数用いることで複数のパネルを、建物躯体の層間変位に追従できると共に、任意の姿勢で所定の位置に正しく取付けできる。
【００１５】
第４の発明によれば、第１コマを設けた支持部が第３の発明の１つの支持部、第２コマを設けた支持部が第３の発明の他の支持部、コマを設けない支持部が第３の発明の残りの支持部である。
よって、第１・第２コマを取付けたり、外したりすると共に、異なる支持部のコマ取付用穴に取付けることで、各支持部は前述の３種類の支持部のいずれにもできる。
したがって、パネルを任意の姿勢で取付ける場合に、そのパネルの姿勢に対応した支持部とすることができるから、同一のパネル取付治具を用いてパネルを任意の姿勢で正しく所定の位置に取付けできる。
【００１６】
第５の発明によれば、第１・第２コマを移動することで支承孔、孔の中心とコマ取付用穴の中心をずらすことができるから、コーナー部の角度が異なる複数のパネルを取付ける場合に、コーナー角度の１／２の位置にパネル取付部材の一端部を固着し、そのパネル取付部材の他端部を第１・第２コマの支承孔、孔に挿入することができる。
よって、１つのパネル取付治具でコーナー角度が異なる複数のパネルを確実に支持することができる。
【００１７】
第６の発明によれば、１つのパネル取付治具で６つのパネルのコーナー部を支持して建物躯体に取付けできる。
【００１８】
【発明の実施の形態】
図１に示すように、建物躯体１に複数のパネル２をパネル取付治具３で取付けて建物の外装を形成している。
前記各パネル２は少なくとも第１取付部２−１、第２取付部２−２、第３取付部２−３の３点で建物躯体１に取付けてある。この第１・第２・第３取付部２−１，２−２，２−３は仮想三角形の各頂点に位置している。
前記第１取付部２−１はパネル面直交方向（つまり、パネル２の厚さ方向）及びパネル面平行方向上下・左右（つまり、パネル面平行全方向）に動かないようにパネル２を支持する。
前記第２取付部２−２はパネル面直交方向及びパネル面平行方向の重力方向に動かないようにパネル２を支持してパネル２のパネル面平行重力方向の回転を止める。
前記第３取付部２−３はパネル面直交方向に動かないと共に、パネル面平行方向上下・左右（つまり、パネル面平行全方向）に移動可能に支持する。
【００１９】
このようであるから、パネル２に作用するパネル面直交行方向の荷重は各取付部で支持され、強風雨などでパネル２がパネル面直交方向に動くことがない。
また、パネル２が斜めに取付けられたりして、そのパネル２にパネル面平行重力方向の回転力が生じた場合には第２取付部２−２でパネル面平行重力方向の回転を止めることができるので、パネル２を任意の姿勢で所定の位置に正しく取付けできる。
また、パネル２は建物躯体１に対して第３取付部２−３でパネル面平行全方向に移動できるから、建物躯体１の層間変位にパネル２が追従できる。
【００２０】
前述のパネル２が斜めに取付けられた場合とは、例えば図２（ａ），（ｂ）に示すように２つの取付部を結ぶ直線が水平（つまり、同一高さ）でなく、３つの取付部の高さがそれぞれ異なる場合である。
この場合には、最上部の取付部を第１取付部２−１、中間部の取付部を第２取付部２−２、最下部の取付部を第３取付部２−３とする。
つまり、図２（ａ）に示すようにパネル２が水平に対して右上りの斜めである場合には、最上部の第１取付部２−１を中心として矢印で示すように反時計方向（左回り）に向かうパネル面平行重力方向の回転力が生じるので、左側に位置する中間部の取付部を第２取付部２−２としてパネル面平行重力方向の回転を止めることが好ましい。
また、図２（ｂ）に示すようにパネル２が水平に対して左上りの斜めである場合には、最上部の第１取付部２−１を中心として矢印で示すように時計方向（右回り）に向かうパネル面平行重力方向の回転力が生じるので、右側に位置する中間部の取付部を第２取付部２−２としてパネル面平行重力方向の回転を止めることが好ましい。
【００２１】
この実施の形態では建物躯体１は、複数の枠材４を連結して複数の三角形枠部５を有し、かつ全体として平面三角形状で、その３つの頂点を図３に示すように基盤６に取付けることでほぼ球面形状の屋根用枠組体である。
例えば、図１に示すように隣接した２つの第１継手部７ａ、２つの第２継手部７ｂ、２つの第３継手部７ｃを有する継手７を用いて枠材４を三角形状に順次連結して三角形枠部５を形成すると共に、前述の第１・第２・第３継手部７ａ，７ｂ，７ｃの水平に対する角度がそれぞれ異なり、隣接する三角形枠部５が水平に対して所定の角度を成すようにすると共に、各三角形枠部５は１つの曲面に沿って配設され、屋根用枠組体はほぼ球面形状である。
前記パネル２は三角形のガラス板で、各三角形枠部５に４つのパネル２が取付けられ、複数のパネル２は１つの曲面に沿って配設してある。これによってほぼ球面形状でガラス板より成る屋根を形成している。
【００２２】
例えば、前記各三角形枠部５に複数のパネル取付治具３がそれぞれ取付けられ、１つのパネル取付治具３で隣接する三角形枠部５に取付けられる複数のパネル２のコーナー部が支持される。この実施の形態では各継手７と３本の枠材４の長手方向中間部にそれぞれ６つのパネル取付治具３を取付け、１つの三角形枠部５に４枚のパネル２を取付け、１つのパネル取治具３に６枚のパネル２のコーナー部が支持される。
前記屋根用枠組体（建物躯体１）は屋外側で、パネル２は屋内側であり、このパネル２は屋根用枠組体にパネル取付治具３で吊り下げるように取付けてある。なお、これに限ることはなく、屋根用枠組体が屋内側、ガラス板２を屋外側としても良い。
【００２３】
本発明は、これに限ることはなくほぼ球面形状の外壁、一平面形状の屋根、外壁でも良い。
また、パネル２はガラス板であるが、樹脂パネル、木質パネル、石材パネル、セメントパネル、枠体をガラス板等を取付けたユニットパネルなどであっても良い。
また、パネル２の形状は三角形に限ることはなく、矩形、五角形、六角形などでも良いし、形状の異なるパネル２を組み合わせて用いることもできる。
【００２４】
次に、パネル取付治具３について説明する。
前記パネル取付治具３は図４〜図６に示すように、建物躯体１、例えば枠材４に取付けられる本体１０と、この本体１０に設けた支持部材１１と、本体１０の先端部に設けたシール材受け部材１２と、前記支持部材１１に支持される複数のパネル取付部材１３を備え、そのパネル取付部材１３がパネル２に固着される。
なお、シール材受け部材１２は具備しなくとも良い。
前記支持部材１１は本体１０の周囲に間隔を置いて位置する少なくとも３つの支持部１１ａを有する。この各支持部１１ａは図７、図８に示すようにコマ取付用穴１４を有し、そのコマ取付用穴１４に着脱自在な第１コマ１５、第２コマ１６を備えている。
前記各コマ取付用穴１４（支持部１１ａ）は本体１０の中心を中心とした仮想円軌跡Ｘ上に等間隔で位置している。この実施の形態は６つのパネル２のコーナー部２ａを支持するので６つのコマ取付用穴１４（支持部１１ａ）を６０度間隔で備えている。
前記第１コマ１５は支承孔１７を有し、第２コマ１６は回転止め用の孔１８を有する。この回転止め用の孔１８の下部内面１８ａは水平に対して傾斜、つまり斜めである。好ましくは三角形のパネル２の一端面とほぼ水平である。
【００２５】
前記各パネル取付部材１３は、その一端部１３ａがパネル２に固定される。好ましくはパネル２のコーナー部２ａに固定される。
前記パネル取付部材１３の他端部１３ｂは前記支承孔１７に嵌合し、回転止め用の孔１８に遊嵌しかつその孔の下部内面１８ａに接し、コマ取付用穴１４に遊嵌する。そして、このパネル取付部材１３の他端部１３ｂは各支持部１１ａにパネル面直交方向に固定される。
このようであるから、パネル取付部材１３の他端部１３ｂを支承孔１７に嵌合することで図２に示す前述の第１取付部２−１となり、回転止め用の孔１８に遊嵌することで図２に示す前述の第２取付部２−２となり、コマ取付用穴１４に遊嵌することで図２に示す前述の第３取付部２−３となる。
つまり、第１コマ１５を設けた支持部１１ａが第１取付部２−１を形成する支持部で、第２コマ１６を設けた支持部１１ａが第２取付部２−２を形成する支持部で、コマを設けない支持部１１ａが第３取付部２−３を形成する支持部である。
【００２６】
また、第１コマ１５、第２コマ１６は取り外しできるし、任意のコマ取付用穴１４に取付けできるので、６つの支持部１１ａを第１取付部２−１、第２取付部２−２、第３取付部２−３のいずれを形成する支持部にできる。
このようであるから、前述した複数の三角形のパネル２をほぼ球面形状に配設して取付けると共に、その６つのパネル２の１つのコーナー部２ａを１つのパネル取付治具３で支持するようにした場合に、パネル２の姿勢、例えば斜めの状態によってその６つのパネル２における１つのパネル取付治具３で支持するコーナー部２ａが、第１・第２・第３取付部２−１，２−２，２−３のいずれになることがあるが、その場合でも共通のパネル取付治具３を用いることができる。
【００２７】
前記第１コマ１５、第２コマ１６は支持部１１ａのコマ取付用穴１４に対して前述の仮想円軌跡Ｘに沿った方向に移動自在である。
例えば、コマ取付用穴１４は大径穴１４ａと小径穴１４ｂで前記仮想円軌跡Ｘの径方向一対の段差面１４ｃを有する形状である。この実施の形態ではコマ取付用穴１４は矩形状であるが、これに限ることはない。
前記第１コマ１５と第２コマ１６は、一対の段差面１４ｃに接すると共に、その仮想円軌跡Ｘの周方向に沿った寸法Ｈ１が大径穴１４ａの仮想円軌跡Ｘの周方向に沿った寸法Ｈ２よりも小さい。この実施の形態では第１・第２コマ１５，１６は矩形状であるが、これに限ることはない。
【００２８】
このようであるから、コーナー部２ａの角度が異なる三角形のパネル２に応じて第１コマ１５、第２コマ１６を移動することで、その支承孔１７、回転止め用の孔１８をパネル取付部材１３の他端部１３ｂに合致させることができる。
すなわち、図７に示すように各支持部１１ａのコマ取付用穴１４の中心１４−１は仮想円軌跡Ｘ上に等間隔、この実施の形態では６０度間隔に位置している。前記パネル取付部材１３の一端部１３ａは図９に示すようにパネル２のコーナー部２ａにおけるコーナー角度θの１／２の位置に固定される。
このために、パネル２のコーナー部２ａの角度θが異なると図１０に示すようにパネル取付部材１３の中心１３−１とコマ取付用穴１４の中心１４−１がずれ、パネル取付部材１３の他端部１３ｂが支承孔１７、回転止め用の孔１８に入らなくなるので、前述のように第１コマ１５、第２コマ１６を移動して支承孔１７、回転止め用の孔１８をパネル２のコーナー角度θの１／２の位置とし、パネル取付部材１３の他端部１３ｂが支承孔１７、回転止め用の孔１８に入るようにする。
【００２９】
この実施の形態では、前記第１・第２コマ１５，１６は一対の段差面１４ｃに仮想円軌跡Ｘの周方向に位置決めして保持でき、支持部材１１が水平でなく、その支持部１１ａのコマ取付用穴１４に取付ける第１・第２コマ１５，１６が水平でなく斜めであっても所定の位置に保持できるようにしてある。
例えば、前記段差面１４ｃと第１・第２コマ１５，１６の裏面には微細な凹凸が仮想円軌跡Ｘの周方向に沿って間隔を置いて形成され、その微細な凹凸相互を嵌め合わせて移動しないように保持する。
また、第２コマ１６は、その表面にも微細な凹凸が前述と同様に形成され、表裏反転して使用できるようにしてある。これによって１種類の第２コマ１６を生産すればよいから、コストがかからない。
【００３０】
なお、第１・第２・第３の取付部２−１，２−２，２−３の位置関係が常に同一であると共に、各パネル２のコーナー部２ａの角度が同一、例えば各パネル２を一平面となるように同一姿勢で取付ける場合であれば、前述の支持部１１ａは第１・第２コマ１５，１６を設けずに支承孔１７、回転止め用の孔１８、大径孔（コマ取付用穴１４）を有するものとすることができる。
【００３１】
前記シール材受け部材１２は本体１０の中心と同心状で、図６に示すように隣接したパネル２間の目地部ａが連続するクロス部ｂに位置している。
好ましくは、クロス部ｂの中央に位置している。
各パネル２のコーナー部２ａは、隣接する２つの端面２ｂと所定の長さのシール材受け先端面２ｃでほぼ台形状である。つまり、尖端部を切断（面取り）して所定の長さのシール材受け先端面２ｃを有する形状である。
このようであるから、クロス部ｂにおいて各パネル２のコーナー部２ａにおけるシール材受け先端面２ｃとシール材受け部材１２との間にシール材１９を装着すれば良いので、そのクロス部ｂにおけるシール材装着部の幅Ｈ３がクロス部ｂ全体の幅よりも小さく、クロス部ｂにシール材１９を装着し易いと共に、確実にシールできる。
【００３２】
この実施の形態では、前述のクロス部ｂにおけるシール材装着部の幅Ｈ３、つまり、パネル２のシール材受け先端面２ｃとシール材受け部材１２との間の寸法が目地部ａの幅Ｈ４、つまり隣接したパネル２の端面２ｂ間の寸法がほぼ同一、好ましくは同一である。
よって、目地部ａとクロス部ｂに亘ってシール材１９を容易に装着できると共に、見栄えが良い。
【００３３】
この実施の形態では、支持部材１１とシール材受け部材１２は本体１０に対して出入り自在である。
このようであるから、屋根用枠組体の組立て誤差や取付け誤差等によって各三角形枠部５が１つの曲面に沿って正しく配設されずに、本体１０の高さ方向の位置がずれた場合に支持部材１１、シール材受け部材１２を出入りしてパネル２を正しい位置に取付けできる。
【００３４】
例えば、シール材受け部材１２を出入りして先端面１２ａを１つの曲面に合致した高さ位置とする。この動作は基盤６等に設置した測定器械、例えばレーザートランシットでシール材受け部１２の先端面１２ａの高さ位置を検出し、予め設定した曲面に合致するように出入り調整する。
この後に、支持部材１１を出入りしてパネル２の表面がシール材受け部１２の先端面１２ａと同一高さ位置とする。
【００３５】
前記本体１０は枠材４に対して直行する２方向に移動自在である。例えば、枠材４の径方向に移動自在で、枠材４の長手方向に移動自在である。
このようであるから、屋根用枠組体の組立誤差や取付け誤差、本体１０の取付け誤差等があった場合に、本体１０を図１に示すように所定の位置に移動調整できる。
【００３６】
次に、パネル取付治具３の具体形状を説明する。
本体１０は図４〜図６、図１１に示すように、ファスナー２０で屋根用枠組体（建物躯体１）に取付けられる。このファスナー２０は枠材４に固着される下地ファスナー２１と、この下地ファスナー２１に固着した１次ファスナー２２と、この１次ファスナー２２に直行する２方向に移動自在に取付けた２次ファスナー２３を備え、この２次ファスナー２３に本体１０が取付けられる。
例えば、前記１次ファスナー２２には一方向に向かう第１長溝２４が形成され、２次ファスナー２３には第１長溝２４と直行する他方向に向かう第２長溝２５が形成してある。
第１長溝２４と第２長溝２５にボルト２６を挿通し、ナット２７を螺合して固定してある。
このようであるから、ナット２７を弛めることでボルト２６を第１長溝２４に沿って移動することで２次ファスナー２３とともに本体１０が一方向に移動し、２次ファスナー２３の第２長溝２５をボルト２６に対して移動することで本体１０が他方向に移動する。
【００３７】
前記本体１０の一端部が２次ファスナー２３に固定される。例えば、２次ファスナー２３の筒体２８に嵌合して固定される。
前記本体１０の他端寄りにねじ部２９が形成されていると共に、このネジ部２９は平面部を有する。
前記本体１０は先端面に開口したねじ穴３０が形成され、前記シール材受け部材１２は円柱形状で、基端寄りにねじ部３１が形成してある。このねじ部３１をねじ穴３０に螺合して本体１０に取付けてある。
よって、シール材受け部材１２を締め込み、弛めることで本体１０に対して出入りする。
【００３８】
前記支持部材１１は、リング体３２に複数のアーム３３を放射状で周方向に等間隔で一体的に設け、この各アーム３３の先端部に前述したコマ取付用穴１４を形成したものである。この実施の形態では６本のアーム３３を設けてある。
前記リング体３２を本体１０のネジ部２９に回転しないように嵌め込み、そのねじ部２９に螺合した一対のナット３４をリング体３２の面外方向両端面に接して支持部材１１を本体１０に取付ける。
このようであるから、一対のナット３４を弛めることで出入り調整できる。
【００３９】
前記パネル取付部材１３は、パネル２に固定されるパネルホルダー４０と、このパネルホルダー４０に設けたねじ杆４１と、このねじ杆４１に螺合したナット４２ａ、ねじ杆４１が挿通する座金４２ｂ、弛み止めロックナット４３を備え、そのパネルホルダー４０が前述の一端部１３ａで、ねじ杆４１が他端部１３ｂである。
前記パネルホルダー４０はパネル２の透孔４４に挿通して固着される。
前記ねじ杆４１はコマ取付用穴１４を貫通し、ナット４２ａが支持部１１ａのパネル面直交方向一側面に接し、他側面に座金４２ｂが接してパネル面直交方向に固定する。
弛み止めナット４３は座金４２ｂに押しつけられる。
【００４０】
【発明の効果】
請求項１に係る発明によれば、建物躯体とパネルは第３取付部でパネル面平行全方向に相対的に移動できるから、地震時等に建物躯体の層間変位にパネルが追従できる。
また、パネルに作用するパネル面平行重力方向の回転力は第２取付部で支持され、パネルを斜めの姿勢で取付けても回転変位することがなく、所定の位置に正しく取付けできる。
また、パネルに作用するパネル面直交方向の荷重は第１・第２・第３取付部で支持されるから、強風雨などでパネルがパネル面直交方向に動くことがない。
【００４１】
請求項２に係る発明によれば、最上部の取付部でパネル面平行全方向に動かないように支持し、中間部の取付部でパネル面平行重力方向の回転力を支持し、最下部の取付部で建物躯体とパネルが相対変位する。
よって、パネルのパネル面平行重力方向の回転を確実に止めることができると共に、建物躯体の層間変位にパネルがスムーズに追従することができる。
【００４２】
請求項３に係る発明によれば、１つのパネル取付治具で少なくとも３つのパネルのコーナー部を、パネル面直交方向及びパネル面平行全方向に固定して支持、パネル面直交方向に固定しかつパネル面平行重力方向に動かないように支持し、パネル面直交方向に固定し、かつパネル面平行全方向に移動自在に支持する。
よって、少なくとも３つのパネルのコーナー部を支持することができるから、このパネル取付治具を複数用いることで複数のパネルを、建物躯体の層間変位に追従できると共に、任意の姿勢で所定の位置に正しく取付けできる。
【００４３】
請求項４に係る発明によれば、第１コマを設けた支持部が請求項３の１つの支持部、第２コマを設けた支持部が請求項３の他の支持部、コマを設けない支持部が請求項３の残りの支持部である。
よって、第１・第２コマを取付けたり、外したりすると共に、異なる支持部のコマ取付用穴に取付けることで、各支持部は前述の３種類の支持部のいずれにもできる。
したがって、パネルを任意の姿勢で取付ける場合に、そのパネルの姿勢に対応した支持部とすることができるから、同一のパネル取付治具を用いてパネルを任意の姿勢で正しく所定の位置に取付けできる。
【００４４】
請求項５に係る発明によれば、第１・第２コマを移動することで支承孔、孔の中心とコマ取付用穴の中心をずらすことができるから、コーナー部の角度が異なる複数のパネルを取付ける場合に、コーナー角度の１／２の位置にパネル取付部材の一端部を固着し、そのパネル取付部材の他端部を第１・第２コマの支承孔、孔に挿入することができる。
よって、１つのパネル取付治具でコーナー角度が異なる複数のパネルを確実に支持することができる。
【００４５】
請求項６に係る発明によれば、１つのパネル取付治具で６つのパネルのコーナー部を支持して建物躯体に取付けできる。
【図面の簡単な説明】
【図１】本発明の実施の形態を示す建物の外装の一部を見上げた状態の正面図である。
【図２】各取付部の説明図である。
【図３】本発明の実施の形態を示す屋根の全体概略斜視図である。
【図４】図１のＡ−Ａ断面図である。
【図５】図４の側面図である。
【図６】図１のＢ部拡大詳細図である。
【図７】支持部材の平面図である。
【図８】図７のＣ−Ｃ断面図である。
【図９】支持部材の支持部とパネル取付部材の中心のずれを示す分解斜視図である。
【図１０】支持部とパネル取付部材の中心のずれを示す説明図である。
【図１１】図４のＤ−Ｄ断面図である。
【符号の説明】
１…建物躯体（屋根骨組体）、２…パネル、２ａ…コーナー部、２−１…第１取付部、２−２…第２取付部、２−３…第３取付部、３…パネル取付治具、１０…本体、１１…支持部材、１１ａ…支持部、１３…パネル取付部材、１３ａ…一端部、１３ｂ…他端部、１４…コマ取付用穴、１５…第１コマ、１６…第２コマ、１７…支承孔、１８…回転止め用の孔。
【図１】
2004244939.tif 000003
【図２】
2004244939.tif 000004
【図３】
2004244939.tif 000005
【図４】
2004244939.tif 000006
【図５】
2004244939.tif 000007
【図６】
2004244939.tif 000008
【図７】
2004244939.tif 000009
【図８】
2004244939.tif 000010
【図９】
2004244939.tif 000011
【図１０】
2004244939.tif 000012
【図１１】
2004244939.tif 000013